(57)【要約】【課題】シール部材をハウジングに取り付ける作業が容易であるとともに、その製造が容易であるシール部材の保持構造を提供すること。【解決手段】本発明は、電気コネクタ（２）と筐体（４）の間に介在するシール部材（３０）を保持する構造である。シール部材（３０）は、所定間隔をあけて配置される一対の第一シール部（３１Ａ，３１Ｂ）と、一対の第一シール部（３１Ａ，３１Ｂ）の接続端（３３Ａ，３３Ｂ）を繋ぐ第二シール部（３２）を備える。一対の第一シール部（３１Ａ，３１Ｂ）のそれぞれの自由端（３４Ａ，３４Ｂ）の側において、シール部材（３０）の第二シール部（３２）の延長方向に沿う第一方向の相対的な位置ずれを防ぐ第一保持部（５１，６１）と、シール部材（３０）の第一シール部（３１Ａ，３１Ｂ）の延長方向に沿う第二方向の相対的な位置ずれを防ぐ第二保持部（５５，６５）と、を備える。【選択図】図３
2020053254.tif 000002
【特許請求の範囲】
【請求項１】
電気コネクタと筐体の間に介在するシール部材を前記電気コネクタが保持する構造であって、
前記シール部材は、
自由端と接続端を有し、それぞれが所定間隔をあけて配置される一対の第一シール部と、一対の前記第一シール部の前記接続端を繋ぐ第二シール部を備えるＵ字状の形状をなし、
一対の前記第一シール部のそれぞれの前記自由端の側において、
前記電気コネクタに対する前記シール部材の前記第二シール部の延長方向に沿う第一方向の相対的な位置ずれを防ぐ第一保持部と、
前記電気コネクタに対する前記シール部材の前記第一シール部の延長方向に沿う第二方向の相対的な位置ずれを防ぐ第二保持部と、
を備えることを特徴とするシール部材の保持構造。
【請求項２】
前記第一保持部及び前記第二保持部は、
前記シール部材の圧縮による弾性力を伴って前記シール部材を保持する、
請求項１に記載のシール部材の保持構造。
【請求項３】
前記第一保持部は、
前記電気コネクタ及び前記シール部材の一方に設けられる第一保持突起と、
前記電気コネクタ及び前記シール部材の他方に設けられる、前記第一保持突起が挿入される第一保持溝と、を備える、
請求項１又は請求項２に記載のシール部材の保持構造。
【請求項４】
前記第一保持部において、
前記第一保持突起及び前記第一保持溝は、前記第一方向に延設される、
請求項３に記載のシール部材の保持構造。
【請求項５】
前記第一保持部は、
前記シール部材の前後方向の両側に設けられる、
請求項３又は請求項４に記載のシール部材の保持構造。
【請求項６】
前記第二保持部は、
前記電気コネクタ及び前記シール部材の一方に設けられる第二保持突起と、
前記電気コネクタ及び前記シール部材の他方に設けられる、前記第二保持突起が挿入される第二保持溝と、を備える、
請求項１〜請求項５のいずれか一項に記載のシール部材の保持構造。
【請求項７】
前記第二保持部において、
前記第二保持突起及び前記第二保持溝は、前記第二方向に延設される、
請求項６に記載のシール部材の保持構造。
【請求項８】
前記第二保持部は、
前記シール部材の前後方向の両側に設けられる、
請求項６又は請求項７に記載のシール部材の保持構造。
【請求項９】
電気コネクタと、
電気コネクタが装着される筐体と、を備え、
電気コネクタと筐体の間に介在するシール部材が、請求項１〜請求項８のいずれか一項に記載のシール部材の保持構造により前記電気コネクタに保持される、
ことを特徴とする電子機器。
【発明の詳細な説明】
【技術分野】
【０００１】
本発明は、防水性能が要求される電気コネクタに適用されるのに好適なシール部材の保持構造に関する。
【背景技術】
【０００２】
従来から、エンジンルームのように水のかかる場所に設けられる電気コネクタには、防水性能が要求されている。防水性能は電気コネクタと電気コネクタが装着される筐体との間にシール部材を介在させることで担保される。シール部材には、弾性を備えるゴム材料が用いられる例が多い。
【０００３】
シール部材は、防水性能を有するだけでは足りず、簡単な作業で電気コネクタに取り付けられることが望まれる。特許文献１は、環状のシール部材（３０）の長手方向の両端に、Ｌ字形の係止腕（３４）及びＴ字形のフック（３５）からなる係合部を設け、ハウジング（１０）の保持溝（１５）に係合させたシール部材の保持構造を開示する。この保持構造は、係止腕（３４）を、自身の弾性を利用してハウジング（１０）のフランジ（１１）の側部に設けた受部（１４）の保持溝（１５）に側方から係合させるととともに、Ｔ字形のフック（３５）を受部（１４）の後面に係合させる。
【先行技術文献】
【特許文献】
【０００４】
【特許文献１】特開２００７−２０７６８１号公報
【発明の概要】
【発明が解決しようとする課題】
【０００５】
ところが、特許文献１のシール部材（３０）は、Ｌ字形の係止腕（３４）とＴ字形のフック（３５）が組み合わされた複雑な形状の係合部を有しており、射出成形で作製するのが容易ではない。また、特許文献１のシール部材（３０）は、長手方向の両端のそれぞれに設けられる係合部を順番にハウジング（１０）の受部（１４）、保持溝（１５）に係合させる。したがって、一つのシール部材（３０）を係合するのに２回の係合作業が必要である。
【０００６】
以上より、本発明は、シール部材をハウジングに取り付ける作業が容易であるとともに、その製造が容易であるシール部材の保持構造を提供することを目的とする。
【課題を解決するための手段】
【０００７】
本発明は、電気コネクタと筐体の間に介在するシール部材を電気コネクタが保持する構造に関する。
本発明におけるシール部材は、自由端と接続端を有し、それぞれが所定間隔をあけて配置される一対の第一シール部と、一対の第一シール部の接続端を繋ぐ第二シール部を備えるＵ字状の形状をなしている。
本発明における保持構造は、一対の第一シール部のそれぞれの自由端の側において、電気コネクタに対するシール部材の第二シール部の延長方向に沿う第一方向の相対的な位置ずれを防ぐ第一保持部と、電気コネクタに対するシール部材の第一シール部の延長方向に沿う第二方向の相対的な位置ずれを防ぐ第二保持部と、を備えることを特徴とする。
【０００８】
本発明における第一保持部及び第二保持部は、シール部材の圧縮による弾性力を伴ってシール部材を保持することが好ましい。
【０００９】
本発明の好ましい第一保持部は、電気コネクタ及びシール部材の一方に設けられる第一保持突起と、電気コネクタ及びシール部材の他方に設けられる、第一保持突起が挿入される第一保持溝と、を備える。
本発明の好ましい保持構造は、第一保持突起及び第一保持溝が第一方向に延設される。
本発明の好ましい保持構造は、第一保持部がシール部材の前後方向の両側に設けられる。
【００１０】
本発明の好ましい第二保持部は、電気コネクタ及びシール部材の一方に設けられる第二保持突起と、電気コネクタ及びシール部材の他方に設けられる、第二保持突起が挿入される第二保持溝と、を備える。
本発明の好ましい保持構造は、第二保持突起及び第二保持溝が第二方向に延設される。
本発明の好ましい保持構造は、第二保持部がシール部材の前後方向の両側に設けられる。
【００１１】
本発明は、電気コネクタと、電気コネクタが装着される筐体と、を備える電子機器を提供する。この電子機器は、電気コネクタと筐体の間に介在するシール部材が、上述した保持構造により電気コネクタに保持される。
【発明の効果】
【００１２】
本発明のシール部材の保持構造は、シール部材がＵ字状の形状をなしている。したがって、本発明によれば、Ｕ字の開口部分に電気コネクタのハウジングを一方向に押し込むという簡単な作業で、シール部材を電気コネクタに取り付けることができる。しかも、本発明の保持構造における第一保持部と第二保持部は、突起と溝という単純な構成で実現できるので、シール部材の製造が容易である。
【図面の簡単な説明】
【００１３】
【図１】本実施形態に係る電子機器の分解斜視図である。
【図２】本実施形態に係る電気コネクタを背面側から観た斜視図である。
【図３】本実施形態に係る電気コネクタを示し、（ａ）は側面図であり、（ｂ）は正面図である。
【図４】本実施形態に係る電気コネクタのハウジングを単体で示す斜視図である。
【図５】本実施形態に係る電気コネクタのシール部材を単体で示す斜視図である。
【図６】本実施形態に係るシール部材を電気コネクタに組み付ける際の、第一保持部と第二保持部の挙動を示す図である。
【図７】本実施形態に係るシール部材を電気コネクタに組み付ける際の、第二保持部の挙動を図６とは異なる向きから示す図である。
【発明を実施するための形態】
【００１４】
本実施形態に係るシール部材の保持構造は、図１に示すように、電気コネクタ２と回路基板３との組立体と、この組立体の回路基板３を収容する筐体４と、を備える電子機器１に適用される。電子機器１は、自動車のエンジンルームの内部に配置されるものである。電気コネクタ２は、筐体４にシール部材３０を介して固定される。本実施形態の保持構造は、シール部材３０が電気コネクタ２のハウジング２１に保持される構造である。
以下、電子機器１の構成要素の概要を説明した後に、本実施形態に係るシール部材の保持構造を詳しく説明する。
【００１５】
〔電気コネクタ２〕
電気コネクタ２は、図１及び図２に示すように、ハウジング２１と、ハウジング２１に保持される複数のコンタクト２９と、を備えている。
ハウジング２１は、電気絶縁性の樹脂材料を射出成形することにより一体的に形成されている。ハウジング２１は、基部２２と、この基部２２から前方に向けて突出する二つのフード２３Ａ，２３Ｂとを一体的に備えている。フード２３Ａ，２３Ｂは、電気コネクタ２と相互に嵌合される相手コネクタを受容する。
本実施形態の電気コネクタ２は、基部２２を基準にしてフード２３Ａ，２３Ｂが突出する側を前方という。また、シール部材３０を含む電気コネクタ２において、幅方向Ｗ、前後方向Ｌ及び上下方向Ｈは、図１に図示する通りに定義されるものとする。
【００１６】
ハウジング２１は、シール部材３０を収容するシール収容溝２４を備えている。シール収容溝２４は、ハウジング２１の上面を除いて形成されており、全体としてＵ字状の形状をなしている。Ｕ字状は、シール部材３０がＵ字状であることに対応する。シール収容溝２４は、幅方向Ｗの両端に設けられる側溝２４Ａ，２４Ｂと、側溝２４Ａと側溝２４Ｂの図１における下端を繋ぐ下溝２４Ｃの三つの部分からなる。
このＵ字状のシール収容溝２４の内部において、Ｕ字状のシール部材３０は基部２２に装着される。
【００１７】
電気コネクタ２は、図１及び図２に示すように、複数のコンタクト２９を備えている。コンタクト２９は、導電性を有する金属材料、例えば銅合金からなる。このコンタクト２９は、基部２２を貫通して、その一方側がフード２３Ａ，２３Ｂの内部に配置され、他方側は後方に引き出され、回路基板３に形成された図示しない導体パターンに電気的に接続されている。
【００１８】
〔回路基板３〕
回路基板３は、コンタクト２９と電気的に接続される。回路基板３は、種々の電子部品が実装され、例えばエンジン、その他の制御を行う。
回路基板３は、図１に示すように、電気コネクタ２の基部２２とは略直交して配設されている。回路基板３は、電気コネクタ２に対して上方に偏位して設けられており、電気コネクタ２が筐体４に装着されると筐体４の開口を覆う。
【００１９】
〔筐体４〕
筐体４は、図１に示すように、箱状の本体４１と偏平な蓋４５とから構成される。
本体４１は、図１おける上端が開口されているとともに、側壁４２に電気コネクタ２が装着される装着溝４３が形成されている。本体４１は、電気絶縁性の樹脂材料を射出成形することにより一体的に形成される。
蓋４５は、本体４１に例えば締結具により固定されることにより、本体４１の開口を塞ぐとともに、本体４１と組み合わされて筐体４を構成する。蓋４５は、例えばアルミニウム合金からなるダイカスト部材にて構成されるが、防水性を確保するために、本体４１との間に加えて電気コネクタ２との間にシール部材が介在される。このシール部材には、液状ガスケットが好適に用いられる。
【００２０】
筐体４の所定位置に電気コネクタ２と回路基板３からなる組立体が装着されると、電気コネクタ２のフード２３Ａ，２３Ｂは筐体４の外部に露出するが、シール収容溝２４よりも後方は筐体４の内部に収容される。筐体４の内部には、電気コネクタ２の基部２２を貫通するコンタクト２９が収容され、このコンタクト２９と電気的に接続される回路基板３もまた筐体４の内部に収容される。
シール収容溝２４に保持されるシール部材３０が装着溝４３に臨む装着縁４４に押し付けられることで、シール構造が確立される。これにより、筐体４の内部に収容されるコンタクト２９、回路基板３は、外部からの水の浸入に対して防水される。
【００２１】
〔シール部材の保持構造〕
次に、電気コネクタ２におけるシール部材３０の保持構造について、図２〜図５を参照して説明する。
シール部材３０は、図２及び図３に示すように、電気コネクタ２のシール収容溝２４に収容された状態で、その自由端３４Ａ，３４Ｂの側で電気コネクタ２のハウジング２１に保持される。図２は一方の自由端３４Ｂの側だけが表されているが、他方の自由端３４Ａの側も同様に保持されている。
【００２２】
［シール部材３０］
シール部材３０は、図５に示すように、全体としてＵ字状の形状を有している。
シール部材３０は、電気コネクタ２と筐体４の間に圧縮された状態で介在することにより防水機能を発揮する限りその材質は任意である。例えば、シール部材３０は、一例としてシリコーンゴム、ブチルゴムなどの電気絶縁性の材料を射出成形により一体に成形される。
【００２３】
シール部材３０は、図５に示すように、それぞれが所定間隔をあけて対向配置される一対の第一シール部３１Ａ，３１Ｂと、一対の第一シール部３１Ａ，３１Ｂの接続端３３Ａ，３３Ｂが幅方向の両端で接続される第二シール部３２と、を備える。
第一シール部３１Ａ，３１Ｂは第二シール部３２に対して概ね直交するように設けられている。第一シール部３１Ａ，３１Ｂは、第二シール部３２と連なる接続端３３Ａ，３３Ｂと、接続端３３Ａ，３３Ｂに対する自由端３４Ａ，３４Ｂと、を備える。シール部材３０は、第一シール部３１Ａ，３１Ｂのそれぞれの自由端３４Ａ，３４Ｂの側に、電気コネクタ２との保持に供されるシール保持要素５０が設けられている。
【００２４】
シール部材３０は、電気コネクタ２と対向する内側Ｉｎと、筐体４と対向する外側Ｏｕと、を有する。シール部材３０は、内側Ｉｎには突条からなる内封止部３５が設けられ、また、外側Ｏｕにも突条からなる外封止部３６が設けられている。
シール部材３０は、内封止部３５が内側Ｉｎにおいて、また、外封止部３６が外側Ｏｕにおいて、一方の自由端３４Ａから他方の自由端３４Ｂまでのシール部材３０の延長方向の全域にわたって設けられている。電気コネクタ２が筐体４の所定位置に嵌合されると、内封止部３５が電気コネクタ２に密着され、また、外封止部３６が筐体４に密着されることで、電気コネクタ２と筐体４の間の防水性が確保される。
【００２５】
［シール保持要素５０］
シール部材３０は、図５に示すように、自由端３４Ａ，３４Ｂの側のそれぞれにシール保持要素５０が設けられている。
シール保持要素５０は、シール部材３０の幅方向Ｗの保持を担う第一保持部５１と、シール部材３０の上下方向Ｈの保持を担う第二保持部５５と、を備える。第一保持部５１と第二保持部５５は、後述するように、シール部材３０の前後方向Ｌの保持も担っている。
電気コネクタ２には、シール保持要素５０に対応するコネクタ保持要素６０が設けられているが、これについては後述する。
【００２６】
第一保持部５１は、電気コネクタ２に対してシール部材３０の第一シール部３１Ａ，３１Ｂがその幅方向Ｗに相対的な変位、つまり位置ずれを起すことなく定位置に留まるのに寄与する。幅方向Ｗは第二シール部３２の延長方向に沿う第一方向と一致する。
第一保持部５１は、第一シール部３１Ａ，３１Ｂの前後方向Ｌの両側にそれぞれ設けられる、直方体状の空隙からなる第一保持溝５３を有する。それぞれの第一保持溝５３は、前後方向の外側に向けて開口し、かつ、上下方向Ｈの一端（上端）に開口するとともに他端（下端）が閉じられた空隙をなしている。このように、第一保持部５１は、第一シール部３１Ａ，３１Ｂの自由端３４Ａ，３４Ｂから接続端３３Ａ，３３Ｂに向けた第二方向に第一保持溝５３が延設される。それぞれの第一保持溝５３の幅方向Ｗの両側には保持壁５３Ａ，５３Ｂが設けられている。
【００２７】
次に、第二保持部５５は、電気コネクタ２に対してシール部材３０の第一シール部３１Ａ，３１Ｂがその上下方向Ｈに沿う相対的な変位、つまり位置ずれを起すことなく定位置に留まるのに寄与する。上下方向Ｈは、第一シール部３１Ａ，３１Ｂの延長方向に沿う第二方向と一致する。
第二保持部５５は、それぞれの自由端３４Ａ，３４Ｂにおいて、外側Ｏｕに向けて突き出す、平面視した形状が矩形の第二保持突起５７を有する。第二保持突起５７は、第一方向に延設されている。第二保持突起５７は、前後方向Ｌの両側に係止爪５９，５９が設けられている。係止爪５９，５９は、係止爪５９と係止爪５９の間を繋ぐ第二保持突起５７と段差が付けられている。
第二保持部５５の第二保持突起５７は、保持壁５３Ａから突き出している。このように、第一保持部５１と第二保持部５５は、保持壁５３Ａを共通の部材として備えている。
【００２８】
［コネクタ保持要素６０］
次に、コネクタ保持要素６０について図２〜図４を参照して説明する。
コネクタ保持要素６０は、シール部材３０のシール保持要素５０と係り合うことで、シール部材３０の保持を担う。
コネクタ保持要素６０は、図４に示すように、シール部材３０の幅方向Ｗの保持を担う第一保持部６１と、シール部材３０の上下方向Ｈの保持を担う第二保持部６５と、を備える。図２及び図３に示すように、第一保持部６１はシール部材３０の第一保持部５１と係り合い、第二保持部６５はシール部材３０の第二保持部５５と係り合う。
【００２９】
第一保持部６１は、電気コネクタ２に対してシール部材３０の第一シール部３１Ａ，３１Ｂがその幅方向Ｗ（第一方向）に沿う相対的な変位、つまり位置ずれを起すことなく定位置に留まるのに寄与する。
第一保持部６１は、図３及び図４に示すように、ハウジング２１の前後方向Ｌの両側にそれぞれ設けられる、直方体状の第一保持突起６３を有する。それぞれの第一保持突起６３は、電気コネクタ２の側フランジ２５Ａ，２５Ｂの対向する面である内面に設けられている。第一保持突起６３は、この内面に上下方向Ｈ（第二方向）に延設されている。
図６（ａ）に示すように、第一保持突起６３の幅方向Ｗの両側には保持溝６２Ａと保持溝６２Ｂが設けられている。保持溝６２Ａは第一保持突起６３と下突起６７の間に設けられ、保持溝６２Ｂは第一保持突起６３とハウジング２１の壁面の間に設けられる。
【００３０】
第一保持突起６３がシール部材３０の第一保持溝５３の内部に隙間なく嵌入されることで、第一保持部５１と第一保持部６１が互いに係止される。この係止関係において、第一保持溝５３の周囲のシール部材３０に弾性力が生じるように、第一保持突起６３の幅Ｗ６３よりも第一保持溝５３の幅Ｗ５３が小さいことが好ましい。このように、第一保持部５１と第一保持部６１は、シール部材３０の圧縮による弾性力を伴ってシール部材３０を保持する。これにより、シール部材３０がハウジング２１から脱落するのを抑制できる。なお、幅Ｗ６３、幅Ｗ５３については、図６（ｂ）に示されている。
【００３１】
次に、第二保持部６５は、電気コネクタ２に対して３０の第一シール部３１Ａ，３１Ｂがその上下方向Ｈ（第二方向）に相対的な変位、つまり位置ずれを起すことなく定位置に留まるのに寄与する。
第二保持部６５は、図４及び図６に示すように、上下方向Ｈ（第二方向）に所定の間隔をあけて設けられる上突起６６と下突起６７を有する。図２に示すように、上突起６６と下突起６７の間の第二保持溝６８にシール保持要素５０の係止爪５９が隙間なく嵌入されることで、第二保持部５５と第二保持部６５が互いに係止される。この係止関係において、係止爪５９の幅Ｗ５９よりも第二保持溝６８の幅Ｗ６８が小さいことが好ましい。このように、第二保持部５５と第二保持部６５は、シール部材３０の圧縮による弾性力を伴ってシール部材３０を保持する。これにより、シール部材３０がハウジング２１から脱落するのを抑制できる。
【００３２】
上突起６６は、係止爪５９が図４における上方に変位するのを規制する部材であることから、幅方向Ｗ（第一方向）と平行な係止面６６Ａを有している。
これに対して下突起６７は、シール部材３０を電気コネクタ２に装着する際に、係止爪５９が乗り越えるとともに、乗り越えた後には係止爪５９が下方に変位するのを規制するという二つの機能を有する。この二つの機能を実現するために、下突起６７は、幅方向Ｗ（第一方向）と平行な係止面６７Ａと、図中の下方から上方に向けて上るスライド面６７Ｂと、を備えている。
【００３３】
［シール部材３０の電気コネクタ２への装着手順］
次に、図６及び図７を参照して、シール部材３０を電気コネクタ２に装着する際のシール部材の保持部分の変遷を説明する。この変遷は、シール部材３０のＵ字の開口部分に電気コネクタ２のハウジング２１を一方向に押し込むという作業の過程におけるものである。なお、図６及び図７において、（ａ）〜（ｄ）が時系列の順を示している。
はじめに、第一保持溝５３と第一保持突起６３を位置合わせしてから、図６（ａ）に示すように第一保持溝５３に第一保持突起６３を挿入し、図６（ｂ）、図６（ｃ）に示すように第一保持溝５３の奥に向けて第一保持突起６３の挿入を進める。そうすると、シール保持要素５０における第二保持部５５を構成する係止爪５９がコネクタ保持要素６０の第二保持部６５を構成する下突起６７まで到達する。
【００３４】
さらに、挿入を進めると、図６（ｄ）に示すように、第一保持突起６３が第一保持溝５３の奥まで達する。そうすると、保持壁５３Ａが保持溝６２Ａに挿入され、第一保持突起６３が第一保持溝５３に挿入され、かつ、保持壁５３Ｂが保持溝６２Ｂに挿入される。これらの挿入において、幅方向Ｗ（第一方向）の隙間がないので、シール部材３０のハウジング２１に対する幅方向Ｗの位置ずれが防止される。
【００３５】
また、図６（ｄ）に示すように、係止爪５９が下突起６７を乗り越えて下突起６７と上突起６６の間の保持溝６８に嵌る。係止爪５９が係止面６６Ａと係止面６７Ａに接するので、シール部材３０のハウジング２１に対する上下方向Ｈ（第二方向）の位置ずれが防止される。
【００３６】
係止爪５９が下突起６７を乗り越えるときには、図７（ａ）〜図７（ｃ）に示すように、係止爪５９がスライド面６７Ｂを連続的に登り、最終的には図７（ｄ）に示すように係止爪５９が第二保持溝６８に挿入される。
【００３７】
また、第一保持部５１，６１が前後方向Ｌの両側に設けられ、加えて、第二保持部５５，６５が前後方向Ｌの両側に設けられる。これにより、ハウジング２１に対してシール部材３０が前後方向Ｌに位置ずれするのが防止される。
【００３８】
〔効  果〕
以上の構成を備えるシール部材の保持構造が奏する効果を説明する。
電気コネクタ２に対して、幅方向Ｗ（第一方向）の位置ずれ及び上下方向Ｈ（第二方向）の位置ずれが抑制されている。特に本実施形態は、ハウジング２１に対してシール部材３０が前後方向Ｌに位置ずれするのが防止されているので、シール部材３０の位置ずれの防止効果が大きい。したがって、電気コネクタ２を筐体４に装着する際に、筐体４との間に生じる摩擦によってシール部材３０が位置ずれするのを抑制できるので、電気コネクタ２と筐体４の間の防水性を確保できる。
しかも、本実施形態は、電気コネクタ２に装着される際に、シール部材３０を電気コネクタ２に上下方向Ｈだけに押し込む、つまり一方向に押し込むだけでシール部材３０を電気コネクタ２に容易に取り付けることができる。
【００３９】
しかも、シール保持要素５０の第一保持部５１と第二保持部５５とが突起、溝という単純な形状をなし、また、コネクタ保持要素６０の第一保持部６１と第二保持部６５とが突起、溝という単純な形状をなしている。したがって、シール保持要素５０、コネクタ保持要素６０を製造するのが容易である。
【００４０】
上記以外にも、本発明の主旨を逸脱しない限り、上記実施形態で挙げた構成を取捨選択したり、他の構成に適宜変更したりすることが可能である。
本実施形態では、互いに嵌り合う第一保持溝５３と第一保持突起６３のうち、シール部材３０に第一保持溝５３を設ける一方、第一保持突起６３を電気コネクタ２のハウジング２１に設けたが、これは本発明の第一保持部５１の一例に過ぎない。例えば、本発明は、シール部材３０の側に第一保持突起を設け、ハウジング２１の側に第一保持溝を設けてもよい。第二保持突起、第二保持溝についても同様である。
また、本実施形態で示した互いに嵌り合う保持溝と保持突起の形態に限るものでなく、一方と他方が互いに接触し合って、お互いの幅方向Ｗの相対的な位置ずれ（変位）を規制することができる構成であれば、本発明の保持構造に該当する。
【符号の説明】
【００４１】
１      電子機器
２      電気コネクタ
３      回路基板
４      筐体
２１    ハウジング
２２    基部
２３Ａ，２３Ｂ  フード
２４    シール収容溝
２４Ａ，２４Ｂ  側溝
２４Ｃ  下溝
２５Ａ，２５Ｂ  側フランジ
２９    コンタクト
３０    シール部材
３１Ａ，３１Ｂ  第一シール部
３２    第二シール部
３３Ａ，３３Ｂ  接続端
３４Ａ，３４Ｂ  自由端
３５    内封止部
３６    外封止部
４１    本体
４２    側壁
４３    装着溝
４４    装着縁
４５    蓋
５０    シール保持要素
５１    第一保持部
５３    第一保持溝
５３Ａ，５３Ｂ  保持壁
５５    第二保持部
５７    第二保持突起
５９    係止爪
６０    コネクタ保持要素
６１    第一保持部
６２Ａ，６２Ｂ  保持溝
６３    第一保持突起
６５    第二保持部
６６    上突起
６６Ａ  係止面
６７    下突起
６７Ａ  係止面
６７Ｂ  スライド面
６８    第二保持溝
【図１】
2020053254.tif 000003
【図２】
2020053254.tif 000004
【図３】
2020053254.tif 000005
【図４】
2020053254.tif 000006
【図５】
2020053254.tif 000007
【図６】
2020053254.tif 000008
【図７】
2020053254.tif 000009